(57)【要約】      （修正有）【課題】折り重ね部を摘まみ板材に曲面を構成することから従来のうちわに無い先端の加速度を発生させかつコピーを挟んで小口の宣伝に使えるうちわ用板材の提供。【解決手段】板材の中央部を頂点として板材の周縁に達する第１の折り線と頂点から折り線と鋭角をなして板材の周縁に達する第２の折り線とを設け、双方の折り線の一方を山折りとし他方を谷折りとして形成される三角形領域を一般部７に折り重ね自在としたうちわ用板材、および透明な板材を沿わせて間に書類を差し込める構造としたうちわ用板材。【選択図】図２
2007283066.tif 000002
【特許請求の範囲】
【請求項１】
板材であって、その板材の中央部を頂点として板材の周縁に達する第１の折り線と、前記頂点から前記折り線と鋭角をなして板材の周縁に達する第２の折り線とを設け、前記双方の折り線の一方を山折りとし他方を谷折りとして形成される三角形領域を、一般部に折り重ね自在としたことを特徴とするうちわ用板材。
【請求項２】
前記板材を双方間に書を差し込み自在な２枚重ね構造としたことを特徴とする請求項１記載のうちわ用板材。
【請求項３】
前記折り線を板材の一般部と異なる断面構造とした請求項１又は請求項２記載のうちわ用板材。
【請求項４】
前記三角形領域を一般部に折り重ねた裏側にあたる稜線に沿って第３の折り線を付け加えて設けた請求項２記載のうちわ用板材。
【発明の詳細な説明】
【技術分野】
【０００１】  この発明は、簡単にうちわに変形させることが出来るうちわ用板材に関する。
【背景技術】
【０００２】（イ）従来、竹の棒の握り部分を残して細かに割り先端を平らになるように編み、紙を貼って、うちわを構成したものが一般的であった。また樹脂成型品で竹の形状を真似たものがあった。
（ロ）あるいは方形薄片を重ね合わせてその一隅角部において鋲着したものがあった。（下記特許文献１参照。）
（ハ）またほぼ四角形のシート材で対角の端から端まで折線が通っていて折り重ねた厚みの断面積の差によって扇子の働きをさせるものがあった。（下記特許文献２参照）
（ニ）またパッケージの箱に斜めの線を入れて空き容器を利用して扇子になるパッケージがあった。（下記特許文献３参照。）
（ホ）また扇状の平面に放射状に円周の端部に至る折り線を設け、さらに指を入れる穴を設け、帽子やメガホンなど多用途に供するものがあった。（下記特許文献４参照。）
（ヘ）また平板の握り部分を形成する切り込みがありこれを左右から折り重ねてそこへ指を通すなどして腰折れを防いで使用するものがあった。（下記特許文献５参照。）
（ト）また平板の一辺から相隣る両辺に向けて斜めに折線を設けて中央の切り込み線に差し込んでうちわとして使用するものがあった。（下記特許文献６参照。）
（チ）またあらかじめ板材をおわん状に浅く湾曲させて強度を保ち風量を増大させるものがあった。（下記特許文献７参照。）
【特許文献１】実開平０３−８１２号公報
【特許文献２】実登３１１４４６１号公報
【特許文献３】実開平０３−１６４１６号公報
【特許文献４】特開昭５８−１６３３０８号公報
【特許文献５】特開２０００−７９００９号公報
【特許文献６】特開２００１−３２７３１５号公報
【特許文献７】実開昭５８−４３２１５号公報
【発明が解決しようとする課題】
【０００３】これらには次のような欠点があった。
（ａ）一般に知られているうちわ上記（イ）にあっては作成にあたって製造工程が多く手間がかかるものであった。また置き場所や持ち運びに邪魔な欠点があった。またたとえ竹の部分を樹脂製にしたものでも、まだ紙の接着などに手間のかかるものであった。また両者とも握り部分の方向と風を送る方向が同じであり、手をねじって使用するという欠点があった。
（ｂ）特許文献１のものにあっては、作成に手間がかかり厚みがあって、持ち運びが不便という欠点があった。
（ｃ）特許文献２のものにあっては、平板の面を湾曲させた使い方をしていないために、材料の強度が必要であって、平板の材料を薄くできない欠点があり、また折れやすく、あまり激しい使い方ができないという欠点があった。
（ｄ）特許文献３のものにあっては、パッケージと共用であるために材料や寸法が制限され、実用的な性能が劣るという欠点があった。
（ｅ）特許文献４のものにあっては、しなりが期待できず、手首を激しく動かさないといけないという欠点があった。
（ｆ）特許文献５のものにあっては、作成の為の打ち抜き型が複雑高価であり、また組み立てに手間を要し、腰折れしやすく、使用にも注意を必要とする欠点があった。
（ｇ）特許文献６のものにあっては、平板の面を湾曲させた使い方をしていないために、材料の強度が必要であって、平板の材料を薄くできず、また折れやすく、あまり激しい使い方ができないという欠点があった。
（ｈ）特許文献７のものにあっては、湾曲したままで折り畳めないために、平面状に保管したり資料の間に挟んで取り扱うことができないという欠点があった。
（ｉ）特許文献１〜７のものいずれも、小口の宣伝内容を手軽に挟んで使用できる構造ではないという欠点があった。
【０００４】  本発明は、このような従来の構成が有していた問題や欠点を解決しようとするものである。
【課題を解決するための手段】
【０００５】  請求項１の発明は、板材であって、その板材１の中央部２を頂点として板材１の周縁３に達する第１の折り線４と、前記頂点から前記折り線４と鋭角をなして板材１の周縁３に達する第２の折り線５とを設け、前記双方の折り線の一方を山折りとし他方を谷折りとして形成される三角形領域１２を、一般部７に折り重ね自在としたことを特徴とするうちわ用板材とした。
また、請求項２の発明では、前記板材を双方間に書１６を差し込み自在な２枚重ね構造とした。
また、請求項３の発明では、前記折り線を板材の一般部と異なる断面構造とした。
また、請求項４の発明では、前記三角形領域を一般部に折り重ねた裏側にあたる稜線に沿って第３の折り線１５を付け加えて設けた。
【発明の効果】
【０００６】  板材１に折り線４、５または板材１、１３に折り線４、５、１５を設けるだけであるから、前記板材の加工が容易であるという効果がある。
【０００７】  形態が平らで、前記板材の保管にスペースを必要としないという効果がある。
【０００８】  また、前記板材の形態が平らで、書類と重ねて持ち運びできて、スペースを必要としないという効果がある。
【０００９】  前記板材は、平らな部分がほとんどで、宣伝文などを印刷したり、シール用紙に宣伝文を印刷したものを貼るなどに適しているという効果がある。
【００１０】  前記板材は、従来の簡便なうちわに見られるような構成部品を取り付けたりする手間が必要なく、廉価に提供できるという効果がある。
【００１１】  前記板材は、従来の簡便なうちわに見られるような使用に関して、手間がかかることが無く、その場で三角形領域１２を一般部７に折り重ねて使用するだけであるから、組み立ての手間を必要としないで、手軽に使用できるという効果がある。
【００１２】  前記板材は、長方形のままでもよいために、従来の簡便なうちわに見られるような、複雑な形状に板材を打ち抜いたりする工程を必要としないという効果がある。
【００１３】  前記板材を双方間に書を差し込み自在な２枚重ね構造とした例では、簡便にコピーなどをした紙１６を挟んで配布できるために、前記板材をカードケースのような目的で使用でき、強調したい情報を簡単にコピーして挟んで配布できるという効果がある。
【００１４】  また、前記板材だけを準備して提供できて、提供する側が一律の内容のコピー等をした紙１６を事前に準備することなく、板材を受け取った使用者がそれぞれの意思で必要な資料を挟んで使用できるなど板材を利用する自由度が広くなるという効果がある。
【００１５】  前記板材をうちわとして使用するに際しては、重ね折りして手でつまんだ三角形領域１２の頂点の所、すなわち板材の中央部２の周辺に湾曲の大きな面９を構成して、曲げ剛性が高くなり、三角形領域１２の頂点部分で板材が腰折れするのを防ぐ効果がある。
【００１６】  また、前記中央部２の周辺に構成された湾曲の大きな面９が、あおる度に曲面形状が変形してエネルギーを蓄え、その都度放出して、一般的なうちわ以上に平板の端末に大きな加速度を発生させ、丁度野球で球を放る時にスナップを効かせたような感触で、軽い力で有効に風を送る効果がある。
【００１７】  また、前記板材の中央部２に湾曲の大きな面９を構成して、剛性が高く曲がり難く、先端に行くに従って平面に近い湾曲の小さな面１０に変化するために、先端に行くほどに曲がり易くなって、平板全体が自然にしなるために、手でつまんだ三角形領域の小さな動きに対して、平板の先端が大きく動き、その感触が快適に感じられ、かつ効率良く風を送ることができるという効果がある。
【００１８】  また、この剛性によって平板に指を通す穴をあけた従来の発明による簡便なうちわに見られるような、厚みのあるボール紙などの平板で剛性を持たせる必要がなく、前記板材は指でつまんで容易に撓む程に薄いもので良く、廉価に軽量にできるという効果がある。
【００１９】  また、前記板材がパソコン用のプリンターで印刷できる写真用厚紙程度の剛性でも良いために、事前に折り線加工を施しかつ印刷を施された特殊な材料ではなく、パソコンのプリンターによるＡ４サイズの手作り画面の板材に、前記折れ線を追加加工したものも、この発明の範囲に入り、祝い事などに手作りの写真入り挨拶うちわなどを配布する全く新しいギフトの分野が誕生するという効果がある。また、折れ線はＶ字型にエンボス加工したものでも良く、折り癖をつけたものでも良く、ボールペンで強くえどって折り癖を付けられるように線だけを記したものでもよいから、加工の方法が限定されないという効果がある。
【００２０】  また、前記板材は重ね折りした三角形の部分の向きと平板の先端部分の向きが異なるために、重ね折りした三角形の部分をつまむ手を大きくねじることがなく、膝に手を置いた水平に近い自然な状態であおいでも、風が顔に向かって送られるという、従来のうちわにはまったく無かった優れた効果がある。
【００２１】  前記板材は、自在に曲がるごく薄いものでよく、会議や講習会で書類などと一緒に配布できるために、会議直前に冷房を入れても、室内が冷えるまでの間は、これでゆったりとあおいで、十分の風を送って暑さを凌ぐことができるという効果がある。
【００２２】  しかも、前記板材を双方間に書１６を差し込み自在な２枚重ね構造としたものに、たとえば、会議の日程などの伝達したいことをコピーして、挟んで配布する透明なカードケースの役割も果たせて、使用後は、書類と一緒に持ち帰り、日常携帯して使用できるという効果がある。
【００２３】  また、図５、図６に示す構造において挟んだコピーした用紙などがずれやすい場合において、三角形領域を一般部に折り重ねた裏側の稜線に沿って、平板部上に谷折りしやすい断面形状の折り線１５を付け加えて設けた結果、間には挟んだコピーした用紙などを、しっかりと保持して、あおいだ際にずれたりして、不快な音を発することを防止できるという効果がある。また、図１、図２に示す構造のものも折れ線が折れにくいものにおいては谷折りしやすい断面形状の折り線１５を付け加えた結果折れ線部分が浮きあげるのを防止する効果がある。
【００２４】  以上から、前記板材は安価でありながら、宣伝チラシのように見て捨てられるものでなく、書類かばんに入れたりして携行して、大勢の人が見えるところで、スペースをとらない扇子として手軽に繰り返し使用してもらえるために、実益を実感しながら宣伝もでき、例えばクールビズの啓蒙宣伝の媒体として、広く配布できるというような効果がある。
【発明を実施するための最良の形態】
【００２５】  以下本発明の実施の形態を図１〜図９に基づいて説明する。【００２６】  図１においては、板材１の中央部２を頂点として板材の周縁３に達する第１の折り線４と前記頂点から前記折り線と鋭角をなして板材１の周縁３に達する第２の折り線５とを設ける構造を示す。【００２７】  図２においては、風が欲しい時に、図１の板材１をうちわとして使うに際して前記双方の折り線の一方６を山折りとし他方１１を谷折りとして形成される三角形領域１２を一般部７に折り重ね板材の折り重ねた三角形領域１２を手８でつまみ、板材の中央部２周辺に湾曲の大きな面９を出現させた状態を示す。【００２８】  図３においては、図２のＡ−Ａ線に沿う断面図であり、手８でつまむ部分の山折れ線６と谷折れ線１１の位置関係と構造を示す。【００２９】  図４は、図２のＢ−Ｂ線に沿う断面図であり、折り重ねてつまむことで形成される湾曲の大きな面９を有する構造を示している。【００３０】  図５は、他の実施形態であって、うちわに用いる板材１に透明な板材１３を重ねて接着部１４で接着し、板材同士が浮き上がりやすい場合において、板材の変形音を防止するため追加谷折り線１５を追加する構造を示している。また、図１、図２の構造の板材についても折り線が曲がりにくいものについては、追加谷折り線１５を追加することができ、板材１についても折り線４、５、１５の位置関係は同じ構造である。【００３１】  図６においては、図５の板材１、１３の使用時の斜視図であって、図２の板材１が２枚重ねになった状態の構造を示している。板材の端部については板材１と板材１３が薄くてしなる状態を示すために、板の厚みを省略して１本の線で現している。【００３２】  図７においては、図５のＣ−Ｃ線に沿う断面図を示しており、宣伝用コピーなどを施した紙１６（図で破線）を挟む構造を示している。これも板の厚みを省略して１本の線で現している。【００３３】  図８においては、第１及び第２の折り線４、５部分の横断面が板材の他の部分と異なる状態を示している図である。
すなわち図８（ａ）の例は、折り線を断続した穴やスリット１７を設けることによって構成した例である。
また、図８（ｂ）は折り線をエンボス１８を施して構成した例である。
また、図８（ｃ）は折り線を溝１９を施して構成した例である。
また、図８（ｄ）は折り線を波型の凸部２０を施して構成した例である。
以上のように前述した折線は、平板の他の部分よりも折れやすいものであれば良く、また折れる方向が山折り、谷折りに限定したものでなくて、どちらにも曲がるものでもよい。【００３４】  図９においては、パソコンプリンターで印刷した書類２１（厚紙写真用紙等）に、簡便な手段（例えば、案内ゲージなどに沿ってボールペンで溝をつける。または、三角形の折れ線を圧印して前記図８（ｂ）、（ｃ）、（ｄ）のような加工を施すなどして出来た独自性のあるうちわ用板材の構造を示している。【００３５】  以下、上記構成の動作を説明する。
図１の板材１を例にとれば、三角形領域１２が一般部７に折り重ねられつまんであおがれることで、板材１に構成された湾曲の大きな面９を変形させてエネルギーを蓄えては都度放出させ、板材端部の長さに比例した分と、しなりの分に加えて、さらに先端部分に加速度を発生させ、一般的なうちわに無い効率のよいうちわ用板材を得ることができる。図５及び図６の透明な板材１３が加わった構成でも同様である。【００３６】  また、板材を双方間に書類を差し込み自在な２枚重ね構造としたものにあっては、コピー等した紙１６で、状況に即応した意思伝達ができる上に、上記構成では折り線で曲げていないカードケースの状態の時は、コピー等した紙１６は容易に挟み込めて、なおかつ一旦板材を使用するために折り曲げると、ケースにしっかりと保持される。【００３７】  さらに、手軽に写真用紙などにコピーした板材２１に、三角形の折れ線を圧印するなどして、小口のうちわ用板材を作れて、従来無かった新分野を開拓する働きがある。以上のように、本実施形態によれば廉価簡便高性能のうちわ用板材を提供できる。
【図面の簡単な説明】
【００３８】
【図１】  本発明の実施形態を示すうちわ用板材の平面図
【図２】  同うちわ用板材の使用時の斜視図
【図３】  図２のＡ−Ａ線断面図
【図４】  同２のＢ−Ｂ線断面図
【図５】  同うちわ用板材に透明板材を添えた平面図
【図６】  図５の使用時の斜視図
【図７】  図５のＣ−Ｃ線断面図
【図８】  他の折り線の断面図
【図９】  折り線を後から加工した工程図
【符号の説明】
【００３９】１    板材
２    中央部
３    周縁
４    第１の折線
５    第２の折線
６    山折り部
７    一般部
８    手
９    湾曲の大きな面
１０  湾曲の小さな面
１１  谷折り部
１２  三角形領域
１３  透明な板材
１４  接着部
１５  追加谷折り線
１６  コピー等した紙
１７  穴やスリット
１８  エンボス
１９  溝
２０  波型の凸部
２１  折り線加工前の板材
２２  折り線加工を施している板材
２３  折り線加工が施された後の板材
【図１】
2007283066.tif 000003
【図２】
2007283066.tif 000004
【図３】
2007283066.tif 000005
【図４】
2007283066.tif 000006
【図５】
2007283066.tif 000007
【図６】
2007283066.tif 000008
【図７】
2007283066.tif 000009
【図８】
2007283066.tif 000010
【図９】
2007283066.tif 000011